(57)【要約】【課題】画像一覧に含まれる各画像が有する色が視覚的に統一されている画像一覧を出力させることができる画像処理装置を提供すること。【解決手段】図３（ａ）における各インデックス画像２１ａ，２１ｂ，２１ｃ，２２は、同一のグループ属し、各インデックス画像を印刷出力する前に、各画像の平均輝度値が算出され、その平均輝度値が中央値となる画像の平均輝度値を、そのグループのグループ補正パラメータＣｏｌと設定し、他の画像の平均輝度値が、かかるグループ色補正パラメータＣｏｌと一致するように、各画像について色補正を行う。これにより各インデックス画像２１ａ，２１ｂ，２１ｃ，２２が有する色（輝度）が視覚的に統一されている画像一覧２０を出力させることができる【選択図】図３
2009246900.tif 000002
【特許請求の範囲】
【請求項１】
複数の画像ファイルを取得する取得手段と、
その取得手段によって取得された複数の画像ファイルが示す画像の各々に関し、その各画像が有する色情報が、統一された色情報になるよう各画像を色補正する補正手段と、
その補正手段によって補正された前記画像の各々を、同一出力面上に出力させる出力制御手段とを備えていることを特徴とする画像処理装置。
【請求項２】
前記取得手段によって取得された複数の画像ファイルを所定の条件に基づいてグループに分類する分類手段を備え、
前記補正手段は、前記分類手段によって分類されたグループ毎に、同一のグループに属する画像ファイルが示す画像の各々に関し、その各画像が有する色情報が、統一された色情報になるよう前記各画像を色補正し、
前記出力制御手段は、前記補正手段によって色補正された色情報を有する前記画像の各々を、同一のグループ毎に、同一出力面上に出力させることを特徴とする請求項１に記載の画像処理装置。
【請求項３】
前記取得手段によって取得された複数の画像ファイルの各々に付加されている時間情報を入手する時間情報入手手段を備え、
前記分類手段は、前記時間情報入手手段によって入手された時間情報に基づいて、前記取得手段によって取得された複数の画像ファイルをグループに分類することを特徴とする請求項２に記載の画像処理装置。
【請求項４】
前記時間情報は、前記取得手段によって取得された複数の画像ファイルの各々に付加されている日付であることを特徴とする請求項３に記載の画像処理装置。
【請求項５】
前記分類手段によって分類されたグループ毎に、同一のグループに属する画像ファイルの中から一の画像ファイルを選択する選択手段と、
その選択手段によって選択された一の画像ファイルが示す画像が有する色情報を算出する算出手段とを備え、
前記補正手段は、その算出手段で算出された色情報に、同一のグループに属する他の画像が有する色情報が統一されるよう他の画像を色補正することを特徴とする請求項２から４のいずれかに記載の画像処理装置。
【請求項６】
前記算出手段は、同一のグループに属する画像ファイルが示す画像の各々に関し、その各画像が有する色情報を算出し、
前記選択手段は、その算出手段で算出された各画像が有する色情報の平均から最も近い色情報を有する画像ファイルを選択することを特徴とする請求項５に記載の画像処理装置。
【請求項７】
前記取得手段によって取得された複数の画像ファイルの中から一つの画像ファイルを選択する選択手段と、
その選択された一つの画像ファイルが示す画像が有する色情報を算出する算出手段とを備え、
前記補正手段は、前記算出手段で算出された色情報に、他の画像が有する色情報が統一されるよう他の画像を色補正することを特徴とする請求項１に記載の画像処理装置。
【請求項８】
前記算出手段は、前記取得手段によって取得された複数の画像ファイルが示す画像の各々に関し、その各画像が有する色情報を算出し、
前記選択手段は、その算出手段で算出された各画像の色情報の平均に最も近い色情報を有する画像ファイルを選択することを特徴とする請求項７に記載の画像処理装置。
【請求項９】
前記色情報は、輝度を示す輝度情報、彩度を示す彩度情報、色相を示す色相情報のうち、何れか一以上であることを特徴とする請求項１から８のいずれかに記載の画像処理装置。
【請求項１０】
前記取得手段は、前記画像ファイルとして、動画像ファイルと静止画像ファイルとを取得し、
その取得手段によって取得された動画像ファイルからフレーム画像を抽出する抽出手段を備え、
前記補正手段は、前記抽出手段から抽出されたフレーム画像と前記静止画像ファイルが示す静止画像とに関し、その各画像が有する色情報が統一されるよう各画像を色補正することを特徴とする請求項１から９のいずれかに記載の画像処理装置。
【請求項１１】
記録用紙に画像を記録する記録手段を備え、
前記出力制御手段は、前記補正手段によって色補正された前記画像の各々を、前記記録手段によって前記記録用紙の同一紙面上に記録させることを特徴とする請求項１から１０のいずれかに記載の画像処理装置。
【請求項１２】
記録用紙に画像を記録する記録手段を備え、
前記出力制御手段は、前記補正手段によって色補正された前記画像の各々を、同一のグループ毎に、前記記録手段によって一枚以上の前記記録用紙の同一紙面上に記録させることを特徴とする請求項２から６のいずれかに記載の画像処理装置。
【発明の詳細な説明】
【技術分野】
【０００１】
本発明は、画像処理装置に関するものである。
【背景技術】
【０００２】
近年では、デジタルカメラを用いて動画と静止画とを撮影できるため、撮影シーンに応じて、動画と静止画とを使い分けて撮影するシーンが存在している。例えば、運動会など動きのあるシーンでは動画で撮影し、集合写真などの動きのないシーンでは静止画で撮影されている。
【０００３】
また、かかるデジタルカメラで撮影した動画をフレーム単位で抽出したフレーム画像と静止画像とが混在した画像一覧を、印刷出力したり、ディスプレイに表示する装置も提案されている。例えば、次の特許文献１には、フレーム画像と静止画像とを区別可能な態様でディスプレイ７に表示するプリントシステムが記載されている。  
【特許文献１】特開２００５−１３０２５４号公報（段落第「００３６」、図９）
【発明の開示】
【発明が解決しようとする課題】
【０００４】
しかしながら、上述した特許文献１に記載されているプリントシステムでは、ディスプレイ７に一緒に表示するフレーム画像と、静止画とでは、視覚的に色の統一感に欠けるものであった。具体的には、朝撮影した静止画、夕方撮影した動画、室内で撮影した静止画など、それぞれの光源の違いによって、ある画像は黄色っぽく、ある画像は青っぽくなるということがあり、これらの画像を並べて配置する画像一覧では、色の統一感がないと、視覚的に違和感を感じるという問題点があった。
【０００５】
本発明は、上記の問題点を解決するためになされたものであり、画像一覧に含まれる各画像が有する色が視覚的に統一されている画像一覧を出力させることができる画像処理装置を提供することを目的としている。
【課題を解決するための手段】
【０００６】
この目的を達成するために、請求項１記載の画像処理装置は、複数の画像ファイルを取得する取得手段と、その取得手段によって取得された複数の画像ファイルが示す画像の各々に関し、その各画像が有する色情報が、統一された色情報になるよう各画像を色補正する補正手段と、その補正手段によって補正された前記画像の各々を、同一出力面上に出力させる出力制御手段とを備えている。
【０００７】
請求項２記載の画像処理装置は、請求項１に記載の画像処理装置において、前記取得手段によって取得された複数の画像ファイルを所定の条件に基づいてグループに分類する分類手段を備え、前記補正手段は、前記分類手段によって分類されたグループ毎に、同一のグループに属する画像ファイルが示す画像の各々に関し、その各画像が有する色情報が統一された色情報になるよう前記各画像を色補正し、前記出力制御手段は、前記補正手段によって色補正された色情報を有する前記画像の各々を、同一のグループ毎に、同一出力面上に出力させる。
【０００８】
請求項３記載の画像処理装置は、請求項２に記載の画像処理装置において、前記取得手段によって取得された複数の画像ファイルの各々に付加されている時間情報を入手する時間情報入手手段を備え、前記分類手段は、前記時間情報入手手段によって入手された時間情報に基づいて、前記取得手段によって取得された複数の画像ファイルをグループに分類する。
【０００９】
請求項４記載の画像処理装置は、請求項３記載の画像処理装置において、前記時間情報は、前記取得手段によって取得された複数の画像ファイルの各々に付加されている日付である。
【００１０】
請求項５記載の画像処理装置は、請求項２から４のいずれかに記載の画像処理装置において、前記分類手段によって分類されたグループ毎に、同一のグループに属する画像ファイルの中から一の画像ファイルを選択する選択手段と、その選択手段によって選択された一の画像ファイルが示す画像が有する色情報を算出する算出手段とを備え、前記補正手段は、その算出手段で算出された色情報に、同一のグループに属する他の画像が有する色情報が統一されるよう他の画像を色補正する。
【００１１】
請求項６記載の画像処理装置は、請求項５に記載の画像処理装置において、前記算出手段は、同一のグループに属する画像ファイルが示す画像の各々に関し、その各画像が有する色情報を算出し、前記選択手段は、その算出手段で算出された各画像が有する色情報の平均から最も近い色情報を有する画像ファイルを選択する。
【００１２】
請求項７記載の画像処理装置は、請求項１に記載の画像処理装置において、前記取得手段によって取得された複数の画像ファイルの中から一つの画像ファイルを選択する選択手段と、その選択された一の画像ファイルが示す画像が有する色情報を算出する算出手段とを備え、前記補正手段は、前記算出手段で算出された色情報に、他の画像が有する色情報が統一されるよう他の画像を色補正する。
【００１３】
請求項８記載の画像処理装置は、請求項７に記載の画像処理装置において、前記算出手段は、前記取得手段によって取得された複数の画像ファイルが示す画像の各々に関し、その各画像が有する色情報を算出し、前記選択手段は、その算出手段で算出された各画像の色情報の平均に最も近い色情報を有する画像ファイルを選択する。
【００１４】
請求項９記載の画像処理装置は、請求項１から８のいずれかに記載の画像処理装置において、前記色情報は、輝度を示す輝度情報、彩度を示す彩度情報、色相を示す色相情報のうち、何れか一以上である。
【００１５】
請求項１０記載の画像処理装置は、請求項１から９のいずれかに記載の画像処理装置において、前記取得手段は、前記画像ファイルとして、動画像ファイルと静止画像ファイルとを取得し、その取得手段によって取得された動画像ファイルからフレーム画像を抽出する抽出手段を備え、前記補正手段は、前記抽出手段から抽出されたフレーム画像と前記静止画像ファイルが示す静止画像とに関し、その各画像が有する色情報が統一されるよう各画像を色補正する。
【００１６】
請求項１１記載の画像処理装置は、請求項１から１０のいずれかに記載の画像処理装置において、記録用紙に画像を記録する記録手段を備え、前記出力制御手段は、前記補正手段によって色補正された前記画像の各々を、前記記録手段によって前記記録用紙の同一紙面上に記録させる。
請求項１２記載の画像処理装置は、請求項２から６のいずれかに記載の画像処理装置において記録用紙に画像を記録する記録手段を備え、前記出力制御手段は、前記補正手段によって色補正された前記画像の各々を、同一のグループ毎に、前記記録手段によって一枚以上の前記記録用紙の同一紙面上に記録させる。
【発明の効果】
【００１７】
請求項１記載の画像処理装置によれば、複数の画像ファイルが示す画像の各々は、その各画像が有する色情報が統一された色情報になるよう補正手段によって色補正され、その色補正された画像の各々が出力制御手段によって同一出力面上に出力される。よって、画像一覧に含まれる各画像が有する色が視覚的に統一されている画像一覧を出力させることができるという効果がある。
【００１８】
請求項２記載の画像処理装置によれば、請求項１に記載の画像処理装置の奏する効果に加え、同一のグループに属する画像ファイルが示す画像の各々は、その各画像が有する色情報が統一された色情報になるよう補正手段によって色補正され、出力制御手段は、補正手段によって色補正された色情報を有する前記画像の各々を、同一のグループ毎に、同一出力面上に出力させる。よって、同一グループ毎に各画像が有する色が視覚的に統一されている画像一覧を出力させることができるという効果がある。
【００１９】
請求項３記載の画像処理装置によれば、請求項２に記載の画像処理装置の奏する効果に加え、時間情報入手手段によって入手した時間情報に基づいて、取得手段で取得した複数の画像ファイルをグループに分類するので、時間応じて光源が変わり、時間に応じて各画像が有する色情報が変化することが多いので、その時間でグループ分けすることで、色情報が近似した画像を同一のグループに配属させることができる。よって、色補正した結果、元画像からかけ離れた色に補正されるのを防止することができるという効果がある。
【００２０】
請求項４記載の画像処理装置によれば、請求項３記載の画像処理装置の奏する効果に加え、時間情報は、取得手段によって取得された複数の画像ファイルの各々に付加されている日付であるので、日付毎に、各画像が有する色が視覚的に統一されている画像一覧を出力させることができるという効果がある。
【００２１】
請求項５記載の画像処理装置によれば、請求項２から４のいずれかに記載の画像処理装置の奏する効果に加え、同一のグループに属する画像ファイルの中から一の画像ファイルが選択され、その一の画像ファイルが示す画像が有する色情報が算出され、その算出された色情報に、同一のグループに属する他の画像が有する色情報が統一されるよう他の画像が色補正される。よって、同一グループに属する画像ファイル毎に、各画像が有する色がグループを代表する画像の有する色に視覚的に統一されている画像一覧を出力させることができるという効果がある。
【００２２】
請求項６記載の画像処理装置によれば、請求項５記載の画像処理装置の奏する効果に加え、同一のグループに属する画像ファイルが示す画像の各々に関し、その各画像が有する色情報を算出し、その算出手段で算出された各画像が有する色情報の平均から最も近い色情報を有する画像ファイルが選択される。同一のグループに属する画像ファイルの中から平均的な色情報を有する画像を選択することができ、色補正することで各画像ファイルが元々有する色情報が極端に変化するのを防止することができるという効果がある。
【００２３】
請求項７記載の画像処理装置によれば、請求項１記載の画像処理装置の奏する効果に加え、選択手段で選択された一つの画像ファイルが示す画像が有する色情報に、他の画像が有する色情報が統一されるよう他の画像が色補正されるので、他の画像が有する色情報を、選択した一の画像ファイルが有する色情報に統一させることができるという効果がある。
【００２４】
請求項８記載の画像処理装置によれば、請求項７記載の画像処理装置の奏する効果に加え、算出手段で算出された各画像の色情報の平均に最も近い色情報を有する画像ファイルが選択手段によって選択されるので、平均的な色情報を有する画像を選択することができ、色補正することで各画像ファイルが元々有する色情報が極端に変化するのを防止することができるという効果がある。
【００２５】
請求項９記載の画像処理装置によれば、請求項１から８のいずれかに記載の画像処理装置の奏する効果に加え、色情報は、輝度を示す輝度情報、彩度を示す彩度情報、色相を示す色相情報のうち、何れか一以上であるので、輝度、彩度、色相のうち、何れか一以上について、視覚的に統一されている画像一覧を出力させることができるという効果がある。
【００２６】
請求項１０記載の画像処理装置によれば、請求項１から９のいずれかに記載の画像処理装置の奏する効果に加え、抽出手段から抽出されたフレーム画像と静止画像ファイルが示す静止画像との各々が有する色情報が統一されるように各画像が色補正されるので、画像一覧内においてフレーム画像と静止画像とが混在していても、視覚的に統一されている画像一覧を出力させることができるという効果がある
【００２７】
請求項１１記載の画像処理装置によれば、請求項１から１０のいずれかに記載の画像処理装置の奏する効果に加え、出力制御手段は、補正手段によって補正された画像の各々を、記録手段によって記録用紙の同一紙面上に記録させるので、視覚的に統一されている画像一覧が記録された記録用紙を取得することができるという効果がある。
請求項１２記載の画像処理装置によれば、請求項２から６のいずれかに記載の画像処理装置の奏する効果に加え、出力制御手段は、補正手段によって補正された画像の各々を、同一のグループ毎に、記録手段によって１枚以上の記録用紙の同一紙面上に記録させるので、異なるグループに属する画像が同一紙面で記録されることがなく、視覚的に統一されている画像一覧が記録された記録用紙を取得することができるという効果がある。
【発明を実施するための最良の形態】
【００２８】
以下、本発明の好ましい実施形態について、添付図面を参照して説明する。図１は、本発明の画像処理装置の一実施形態としての多機能周辺装置（以下、「ＭＦＰ（Ｍｕｌｔｉ  Ｆｕｎｃｔｉｏｎ  Ｐｅｒｉｐｈｅｒａｌ）」と称す）１の外観構成を示した斜視図である。ＭＦＰ１は、特に、画像一覧に含まれる各画像が有する色が視覚的に統一されている画像一覧を出力させることができる装置である。
【００２９】
このＭＦＰ１は、フォトキャプチャー機能、コピー機能、スキャナ機能、メディアキャプチャ機能などの各種機能を有する多機能周辺装置である。メディアキャプチャ機能では、後述するスロット部６に装着されたメディアカードから画像ファイルを読み出して印刷出力する処理、メディアカードから読み出した画像ファイルに対応した画像をＬＣＤ５に表示出力する処理、スキャナ機能により読み取られた画像データをメディアカードに保存する処理などを実行できる。
【００３０】
ＭＦＰ１の上部には、原稿を読み取るためのスキャナ２が配置されている。また、筐体内部には記録用紙に画像を印刷する装置として、所謂インクジェットプリンタで構成されたプリンタ３が内蔵されている。
【００３１】
また、ＭＦＰ１の前面には、スロット部６が設けられている。このスロット部６には、コンパクトフラッシュ（登録商標）、ＳＤメモリカードなどの各種メディアカードを直接挿入できるカードスロットが設けられている。
【００３２】
また、原稿カバー体の前方には、操作パネルが設けられており、複数のキーやタッチパネルで構成される操作部４、およびＬＣＤ５を具備する。ＭＦＰ１は、ＬＣＤ５に操作手順や実行中の処理の状態を表示させると共に、操作部４の操作に対応する情報を表示させる。
【００３３】
図２を参照して、ＭＦＰ１の電気的構成について説明する。図２は、ＭＦＰ１の電気的構成を示すブロック図である。ＭＦＰ１は、ＣＰＵ１１、ＲＯＭ１２、ＲＡＭ１３、ＥＥＰＲＯＭ１４、スキャナ２、プリンタ３、操作部４、ＬＣＤ５、スロット部６を主に有している。
【００３４】
このうち、ＣＰＵ１１、ＲＯＭ１２、ＲＡＭ１３、ＥＥＰＲＯＭ１４は、バスライン２６を介して互いに接続されている。また、スキャナ２、プリンタ３、操作部４、ＬＣＤ５、スロット部６、バスライン２６は、入出力ポート２７を介して互いに接続されている。
【００３５】
ＣＰＵ１１は、ＲＯＭ１２、ＲＡＭ１３やＥＥＰＲＯＭ１４に記憶される固定値やプログラムに従って、ＭＦＰ１が有している各機能の制御や、入出力ポート２７と接続された各部を制御するものである。
【００３６】
ＲＯＭ１２は、ＣＰＵ１１によって実行される制御プログラム１２ａを記憶すると共に、電源遮断後も内容を保持可能な不揮発性のメモリである。制御プログラム１２ａは、後述する図７〜図１２にフローチャートで示す処理を実行するためのプログラムを含んでいる。
【００３７】
ＲＯＭ１２には、さらに横方向画像配置数記憶領域１２ｂ、１ページ画像配置数記憶領域１２ｃが設けられている。
【００３８】
横方向画像配置数記憶領域１２ｂは、「横方向の配置枚数」を記憶する領域である。「横方向の配置枚数」は、画像一覧において、横一列に並べて配置可能なインデックス画像の数を示す値である。なお、本実施形態のＭＦＰ１には、予め印刷用紙サイズ（Ｌ版、Ａ４、Ｌｅｔｔｅｒなど）、および印刷モード（高精細、普通、高速など）に応じて、複数種類の「横方向の配置枚数」が記憶されており、後述する配置印刷処理（図１０，図１１参照）では、この中から適した値を読み出して用いるものとして説明する。
【００３９】
１ページ画像配置数記憶領域１２ｃは、「１ページ内画像配置数」を記憶する領域である。「１ページ内画像配置数」は、１ページ分の記録用紙に形成する画像一覧に、最大で何個分のインデックス画像を配置可能であるかを示す値である。なお、本実施形態においては、予め印刷用紙サイズおよび印刷モードに応じて、複数種類の「１ページ内画像配置数」が記憶されており、後述する配置印刷処理（図１０，図１１参照）では、この中から適した値を読み出して用いるものとして説明する。
【００４０】
ＲＡＭ１３は、ＭＦＰ１の各操作の実行時に各種のデータを一時的に記憶するためのメモリであり、抽出フレーム数記憶領域１３ａ、処理ファイル数記憶領域１３ｂ、処理画像総数記憶領域１３ｃ、生成ページ数記憶領域１３ｄ、グループ情報記憶領域１３ｇ、ファイル情報記憶領域１３ｈ、配置情報記憶領域１３ｉ、フレーム画像情報記憶領域１３ｊ、デコードデータ記憶領域１３ｋ、カウンタ記憶領域１３ｍが設けられている。
【００４１】
ここで、本実施形態で用いる用語の意味を説明する。本実施形態において、「動画像」とは、多数のフレーム画像を切り替え表示することにより再生される画像を意味している。「動画像ファイル」は、動画像を再生するためのファイルであって、例えば、ＡＶＩ動画ファイル、クイックタイム動画ファイルなどで構成される。ただし、動画像を再生可能な情報であれば、どのような形式のファイルであっても差し支えない。また、本実施形態において、「フレーム画像情報」は、動画像を構成する１のフレーム画像に対応した情報を意味している。
【００４２】
抽出フレーム数記憶領域１３ａは、「フレーム画像抽出枚数」を記憶する領域である。「フレーム画像抽出枚数」は、１の動画像ファイル当たり、何枚分のフレーム画像に対応したフレーム画像情報を抽出するかを示す値である。例えば、「フレーム画像抽出枚数」として「５」が記憶されている場合、ＭＦＰ１は、メディアカードに格納された動画像ファイルの各々について、１の動画像ファイル当たり、５枚のフレーム画像に対応したフレーム画像情報を抽出し、その抽出したフレーム画像情報に基づいて、１の動画像ファイル当たり、５個のインデックス画像を、画像一覧に配置する。
【００４３】
本実施形態のＭＦＰ１は、ユーザが操作部４から入力した任意の値を「フレーム画像抽出枚数」として、抽出フレーム数記憶領域１３ａに記憶するものとして説明するが、「フレーム画像抽出枚数」が予めＲＯＭ１２などに記憶されていたり、動画像ファイルのサイズが大であるほど、「フレーム画像抽出枚数」が大となるように予め定められた関係に従って、「フレーム画像抽出枚数」が自動的に決定されても良い。
【００４４】
処理ファイル数記憶領域１３ｂは、「総処理ファイル数」を記憶する領域である。「総処理ファイル数」は、メディアカードに格納される静止画像ファイルと動画像ファイルの合計を示す値である。
【００４５】
処理画像総数記憶領域１３ｃは、「処理画像総数」を記憶する領域である。「処理画像総数」は、画像一覧内に形成するインデックス画像の総数を示す値である。生成ページ数記憶領域１３ｄは、「生成ページ数」を記憶する領域である。「生成ページ数」は、後述する配置印刷処理（図１０、図１１）の実行により出力する画像一覧の総ページ数を示す値である。
【００４６】
グループ情報記憶領域１３ｇ、ファイル情報記憶領域１３ｈ、配置情報記憶領域１３ｉについては、図４から図６を参照して後述する。
【００４７】
フレーム画像情報記憶領域１３ｊは、動画像ファイルから抽出されるフレーム画像情報を格納する領域である。デコードデータ記憶領域１３ｋは、フレーム画像情報をデコード処理した結果、または、静止画像ファイルをデコード処理した結果を記憶する領域である。カウンタ記憶領域１３ｍは、各種カウンタを記憶する領域である。
【００４８】
図３（ａ）は、ＭＦＰ１が、１ページの記録用紙に印刷出力する画像一覧２０の一例を示す図である。ＭＦＰ１は、メディアカードに静止画像ファイルと動画像ファイルとが混在している場合、図３（ａ）に示すように、フレーム画像情報に対応するインデックス画像２１ａ，２１ｂ，２１ｃと、静止画像ファイルに対応するインデックス画像２２とが混在した画像一覧２０を出力する。よって、ユーザは、動画像ファイルの内容を示すインデックス画像２１ａ，２１ｂ，２１ｃと、静止画像ファイルの内容を示すインデックス画像２２とを、１ページの画像一覧２０によって、一度に視認することができ、利便性が高い。
【００４９】
一方、図３（ｂ）は、本願発明とは異なる装置によって１ページの記録用紙に印刷出力する画像一覧１００を示す図である。両者は、同じ動画像ファイルから抽出したインデックス画像２１ａ，２１ｂ，２１ｃおよび同じ静止画像ファイルから抽出したインデックス画像２２を１ページの記録用紙に印刷出力したものである。
【００５０】
よって、図３（ｂ）に示す画像一覧１００にも、図３（ａ）に示す画像一覧２０と同様に、第１の動画像ファイルから抽出される３つのインデックス画像２１ａと、第２の動画像ファイルから抽出される２つのインデックス画像２１ｂと、第３の動画像ファイルから抽出される３つのインデックス画像２１ｃと、３つの静止画像ファイルから抽出される３つのインデックス画像２２とが含まれている。
【００５１】
しかし、図３（ｂ）に示す画像一覧１００では、動画像ファイルから抽出された各インデックス画像２１ａ，２１ｂ，２１ｃと、静止画像ファイルから抽出されたインデックス画像２２とでは、各インデックス画像の色が同じ色に統一されていない（図３（ｂ）に示す各インデックス画像２１ａ，２１ｂ，２１ｃ内のハッチング模様や散点模様は、各インデックス画像２１ａ，２１ｂ，２１ｃの各々が別々の色をしている状態を示している。）これは、朝撮影した静止画、夕方撮影した動画、室内で撮影した静止画など、それぞれの光源の違いによって、ある画像は黄色っぽく、ある画像は青っぽくなるということがあるためであり、そのため画像一覧１００が見難いものになっていた。
【００５２】
一方、図３（ａ）に示す画像一覧２０では、動画像ファイルから抽出された各インデックス画像２１ａ，２１ｂ，２１ｃと、静止画像ファイルから抽出されたインデックス画像２２との色が同じ色に統一されている。即ち、ＭＦＰ１は、画像一覧２０に含まれる各インデックス画像２１ａ，２１ｂ，２１ｃ，２２が有する色が視覚的に統一されている画像一覧２０を出力させることができる装置である。
【００５３】
また、ＭＦＰ１は、インデックス画像２１ａ，２１ｂ，２１ｃ，２２を含む画像群が、撮影日時に従った順序で配列されるように、インデックス画像２１ａ，２１ｂ，２１ｃ，２２の各々について配置順序を決定し、その決定した配置順序でインデックス画像２１ａ，２１ｂ，２１ｃ，２２を配列した画像一覧２０を出力する。
【００５４】
図３（ａ）に示す画像一覧２０はその一例であるが、例えば、画像一覧２０の上段から下段へ向かうにつれて、且つ、左側から右側へ向かうにつれて撮影日時が新しくなるような順序で、インデックス画像２１ａ，２１ｂ，２１ｃ，２２が配列するように配置順序を決定する。
【００５５】
詳細な説明は後述するが、ＭＦＰ１は、静止画像ファイルに基づくインデックス画像２２であるか、動画像ファイルに基づくインデックス画像２１ａ，２１ｂ，２１ｃであるかに関わらず、撮影日時のみを条件としてソートした配置順序を決定し、その配置順序でインデックス画像２１ａ，２１ｂ，２１ｃ，２２を配列した画像一覧２０を出力する。よって、例えば、動画像で撮影したか、静止画像で撮影したかをユーザが覚えていない場合であっても、撮影日時がかなり古いものであるのか、あるいは最近のものであるのかなど、撮影日時を手がかりに、目的とする画像を迅速に探し当てることができる。
【００５６】
また、詳細は後述するが、本実施形態のＭＦＰ１は、インデックス画像２１ａ，２１ｂ，２１ｃ，２２を撮影日毎のグループに分類し、グループ毎に画像一覧２０を出力するように構成されている。よって、例えば、画像一覧２０のヘッダ部分に、グループの撮影日２３が印刷されても良い。
【００５７】
図４は、ファイル情報記憶領域１３ｈの構成を模式的に示す図である。図４に示すように、ファイル情報記憶領域１３ｈには、ファイルＩＤを記憶するファイルＩＤ記憶領域２０１、ファイル名を記憶するファイル名記憶領域２０２、ファイル種類を記憶するファイル種類記憶領域２０３、抽出フレーム数を記憶する抽出フレーム数記憶領域２０４、総フレーム数を記憶する総フレーム数記憶領域２０５、ｆｐｓ情報を記憶するｆｐｓ情報記憶領域２０６、ファイル日付情報を記憶するファイル日付情報記憶領域２０７、ファイル時間情報を記憶するファイル時間情報記憶領域２０８が設けられ、ファイル名、ファイル種類、抽出フレーム数、ｆｐｓ情報、ファイル日付情報、ファイル時間情報からなるファイル情報２００を、そのファイル情報２００を管理するファイルＩＤに対応付けて記憶する。ＭＦＰ１は、画像一覧２０（図３参照）におけるインデックス画像２１ａ，２１ｂ，２１ｃ，２２の配置順序を決定するための準備処理として、メディアカード内に格納された静止画像ファイルまたは動画像ファイルの各々についてファイル情報２００を作成し、ファイル情報記憶領域１３ｈに格納する。
【００５８】
ファイルＩＤ記憶領域２０１は、ファイルＩＤを記憶する領域である。ファイル名記憶領域２０２は、静止画像ファイルまたは動画像ファイルのファイル名を格納する領域である。図４に示すように、各ファイル名には、拡張子が付加されている。例えば、画像ファイルがＪＰＥＧファイルである場合は拡張子「ｊｐｇ」が付加され、ＡＶＩ動画ファイルである場合は拡張子「ａｖｉ」が付加され、クイックタイム動画ファイルである場合は拡張子「ｍｏｖ」が付加される。
【００５９】
ファイル種類記憶領域２０３は、各画像ファイルの種類（フォーマット）を示す値を格納する領域である。画像ファイルの種類は、例えば、ファイル名に付加された拡張子に基づいて判定することができる。本実施形態では、画像ファイルの形式がＪＰＥＧファイル（拡張子ｊｐｇ）である場合、ＪＰＥＧファイルであることを示す値「０」をファイル種類記憶領域２０３に格納し、画像ファイルの形式がＡＶＩ動画ファイル（拡張子ａｖｉ）である場合、値「１」をファイル種類記憶領域２０３に格納し、画像ファイルの形式がクイックタイム動画ファイル（拡張子ｍｏｖ）である場合、値「２」をファイル種類記憶領域２０３に格納する。
【００６０】
なお、各画像ファイルの先頭から数バイト分に格納されている情報に基づいて画像ファイルの種類を判定することもできる。例えば、先頭から２バイトが「０ｘＦＦＤ８」であればＪＰＥＧファイルであると判定できるし、先頭から２バイトが「０ｘ４２４Ｄ」であれば、ビットマップデータであると判定することができる。これらの情報に基づいて、画像ファイルの種類を判定しても差し支えない。
【００６１】
抽出フレーム数記憶領域２０４は、何枚分のフレーム画像に対応したフレーム画像情報を、画像ファイルから抽出するかを示す値を記憶する領域である。静止画像ファイルの場合、抽出フレーム数記憶領域２０４には「１」が格納される。一方、動画像ファイルの場合、抽出フレーム数記憶領域２０４には、「２」以上の値が格納される。
【００６２】
総フレーム数記憶領域２０５は、各画像ファイルの総フレーム数を格納する領域である。動画像ファイルの場合は動画像ファイルに含まれる総フレーム数が格納され、静止画像である場合は常に１が格納される。
【００６３】
ｆｐｓ情報記憶領域２０６は、各画像ファイルのｆｐｓ（Ｆｒａｍｅ  Ｐｅｒ  Ｓｅｃｏｎｄ）情報を格納する領域である。静止画像ファイルである場合には「０」が格納される。一方、動画像ファイルである場合には、例えば、１秒間に６０フレーム画像が存在することを示す「６０」や、１秒間に３０フレーム画像が存在することを示す「３０」が、このｆｐｓ情報記憶領域２０６に格納される。
【００６４】
ファイル日付情報記憶領域２０７は、各画像ファイルの撮影日を表すファイル日付情報を格納する領域である。例えば、撮影日「２００８年１月１５日」は、ファイル日付情報「２００８０１１５」として表すものとする。
【００６５】
ファイル時間情報記憶領域２０８は、各画像ファイルの撮影時間を表すファイル時間情報を格納する領域である。例えば、撮影時間「１２時５０分４５秒」は、ファイル時間情報「１２５０４５」として表すものとする。画像ファイルが動画像ファイルの場合は、撮影開始時間を表す情報が、ファイル時間情報として格納される。なお、ファイル日付情報およびファイル時間情報が、特許請求の範囲に記載の撮影日時情報に相当する。
【００６６】
以降の説明では、各画像ファイルのヘッダに記述された情報を読み出してくることにより、総フレーム数、ｆｐｓ情報、ファイル日付情報およびファイル時間情報を取得するものとするが、他の手段により、これらの情報を取得しても良い。
【００６７】
ファイル付加情報記憶領域２０９は、各画像ファイルのその他の固有情報を格納する領域である。
【００６８】
本実施形態のＭＦＰ１は、ファイル情報記憶領域１３ｈに格納された各画像ファイルの固有情報に基づいて、撮影日時に従った順序でインデックス画像が配列されるように、インデックス画像の配置順序を決定する。決定した配置順序を示す情報は、図５に示す配置情報記憶領域１３ｉに格納する。
【００６９】
図５は、配置情報記憶領域１３ｉの構成を模式的に示す図である。図５に示すように、配置情報記憶領域１３ｉは、ファイルＩＤ、グループＮｏ、抽出フレーム番号、画像日付情報、画像時間情報、画像識別情報からなる配置情報３００と、その配置情報３００に対応する配置順序とを記憶する。
【００７０】
図５に示すように、配置情報記憶領域１３ｉには、配置順序記憶領域３０１、ファイルＩＤ記憶領域３０２、グループＮｏ記憶領域３０３、抽出フレーム番号記憶領域３０４、画像日付情報記憶領域３０５、画像時間情報記憶領域３０６、画像色補正パラメータ記憶領域３０７が設けられる。
【００７１】
配置情報記憶領域３０１は、配置順序を記憶する領域である。後述する配置印刷処理（図１０，図１１参照）では、配置順序に従った順序で、配置情報３００が読み出され、各配置情報３００で特定されるフレーム画像または静止画像のインデックス画像が、配置順序に従った順序で、画像一覧２０に配列される。
【００７２】
ファイルＩＤ記憶領域３０２は、ファイルＩＤを記憶する領域である。図４を参照して説明したように、ファイル情報記憶領域１３ｈには、ファイルＩＤとファイル名とが１対１で対応付けて記憶されているので、ファイルＩＤから、１の画像ファイルを特定することができる。
【００７３】
グループＮｏ記憶領域３０３は、グループＮｏを記憶する領域である。なお、グループＮｏについては、図６を参照して後述する。
【００７４】
抽出フレーム番号記憶領域３０４は、抽出フレーム番号を記憶する領域である。上述したように、１の動画像ファイルについて複数のフレーム画像情報が抽出される。よって、先頭から数えて何番目のフレーム画像情報であるかを示す情報が、「抽出フレーム番号」として、抽出フレーム番号記憶領域３０４に格納される。
【００７５】
ここで、「抽出フレーム番号」は、「総フレーム数記憶領域２０５」に記憶された動画像ファイルの総フレーム数と、「抽出フレーム数記憶領域１３ａ」に記憶された抽出フレーム数と、動画像のうち何枚目に抽出されるかを表すフレーム画像抽出数カウンタ値を用いて、例えば、下記のように算出することができる。
（抽出フレーム番号）＝［（フレーム画像抽出数カウンタ値−１）×（総フレーム数）÷（抽出フレーム数）］
ここで［］はガウス記号を表し、［ａ］はａを超えない最大の整数を表す。
【００７６】
画像日付情報記憶領域３０５は、ファイルＩＤ記憶領域３０２に格納されたファイルＩＤで特定される画像ファイルの撮影日を表す画像日付情報が格納される領域である。画像時間情報記憶領域３０６は、撮影時間を表す画像時間情報が格納される領域である。静止画像ファイルについては、ファイル情報記憶領域１３ｈの対応する領域に格納されたファイル時間情報が、この画像時間情報記憶領域３０６にコピーされる。
【００７７】
一方、動画像ファイルについては、その動画像ファイルから複数のフレーム画像情報が抽出されるので、フレーム画像情報毎に、撮影時間を表す画像時間情報を取得し、画像時間情報記憶領域３０６に記憶する。なお、フレーム画像情報毎の画像時間情報を算出する具体的演算例については、図７に示すフローチャートを参照して後述する。
【００７８】
画像色補正パラメータ記憶領域３０７には、図３に示す画像一覧２０に含まれる各インデックス画像の補正前の色（輝度）を示す平均輝度値である画像色補正パラメータが記憶されている。
【００７９】
後述する配置印刷処理（図１０，図１１参照）では、この配置情報記憶領域１３ｉに記憶された配置情報３００に基づいて、動画像ファイルから抽出された各インデックス画像２１ａ，２１ｂ，２１ｃと、静止画像ファイルから抽出されたインデックス画像２２とが、全て、同じ大きさ（サイズ）であって、各インデックス画像の色が同じ色に統一されている画像一覧２０を印刷出力すると共に、インデックス画像が撮影日時に従った順序で配列された画像一覧２０を印刷出力する。
【００８０】
さらに、本実施形態のＭＦＰ１は、インデックス画像を撮影日毎のグループに分類し、グループ毎に画像一覧２０を印刷出力する。例えば、「２００８年１月１５日」に撮影した画像ファイルと、「２００８年１月２０日」に撮影した画像ファイルとがメディアカードに格納されているのであれば、「２００８年１月１５日」に撮影された画像ファイルのインデックス画像からなる画像一覧２０と、「２００８年１月２０日」に撮影された画像ファイルのインデックス画像からなる画像一覧２０とを印刷出力するように構成されている。
【００８１】
図６は、グループ情報記憶領域１３ｇの構成の一例を示す図である。図６に示すように、グループ情報記憶領域１３ｇには、グループ数記憶領域４０１と、グループ単位情報記憶領域４０２と、グループＮｏ記憶領域４０３とが設けられている。
【００８２】
グループ数記憶領域４０１は、インデックス画像を分類するために生成されたグループ数を記憶する領域である。図６に示す例では、インデックス画像を分類するために「１０」のグループが生成されたことを示している。
【００８３】
グループ単位情報記憶領域４０２は、グループ毎の情報を記憶する領域である。グループ単位情報記憶領域４０２には、グループＮｏを記憶する記憶領域４０３と、そのグループＮｏで特定されるグループに分類されるインデックス画像の数を記憶するグループ画像数記憶領域４０４と、後述するグループ色補正パラメータを記憶するグループ色補正パラメータ記憶領域４０５とが設けられる。図６に示す例では、グループＮｏが「１」のグループに、「１０」個のインデックス画像が分類されることを示している。また、グループＮｏが「１」のグループのグループ色補正パラメータが０．８７であることを示している
【００８４】
本実施形態のＭＦＰ１によれば、グループ毎の画像一覧２０を出力することにより、ユーザはグループ毎（撮影日毎）に画像一覧２０を視認することができるから、ユーザは撮影日ごとのグループに分類された閲覧性の良い画像一覧を得ることができる。
【００８５】
次に、図７乃至図１２を参照して、図３（ａ）に示すような画像一覧２０を出力させる処理について説明する。この処理を大略すると、まず、インデックス画像の配置順序を決定する配置順決定処理を実行する（Ｓ１００）。次に、同じグループ毎にグループ色補正パラメータを設定するグループ色補正パラメータ設定処理（Ｓ１５０）を実行する。そして、Ｓ１００で決定した配置順序に従いつつ、各インデックス画像に色補正を行い、同じグループに属するインデックス画像同士で色の統一がある画像一覧２０を出力する配置印刷処理（Ｓ２００）を実行する。以下、各処理について詳細に説明する。
【００８６】
図７は、ＭＦＰ１で実行される配置順決定処理（Ｓ１００）を示すフローチャートである。図７に示す配置順決定処理（Ｓ１００）は、スロット部６にメディアカードが装着され、ユーザにより画像一覧２０の印刷出力の実行指示が入力されると実行される。
【００８７】
この配置順決定処理（Ｓ１００）は、動画像ファイルから抽出するフレーム画像情報と、メディアカードから読み出される静止画像ファイルとの各々について、各画像情報の撮影日時を表す画像日付情報および画像時間情報を取得し、その取得した画像日付情報および画像時間情報を条件として、インデックス画像の配置順序を決定する処理である。
【００８８】
まず、ユーザが操作部４から入力した値を、「フレーム画像抽出枚数」として抽出フレーム数記憶領域１３ａに記憶する（Ｓ１０１）。次に、メディアカード内に格納された静止画像ファイルと動画像ファイルとの合計を示す「総処理ファイル数」を算出し、処理ファイル数記憶領域１３ｂに記憶する（Ｓ１０２）。
【００８９】
次に、処理ファイル数カウンタ、処理画像数カウンタ、フレーム画像抽出枚数カウンタ、動画像ファイル数カウンタを、それぞれ０で初期化する（Ｓ１０３）。なお、これらのカウンタは、カウンタ記憶領域１３ｍ（図２参照）に設けられている。
【００９０】
次に、メディアカードに格納された画像ファイルのうち、１の画像ファイルを処理対象として選択し、その画像ファイルのファイル名、画像ファイルの種類を取得する。そして取得したファイル名および画像ファイルの種類を示す値を、処理ファイル数カウンタ値のファイルＩＤに対応した、ファイル名記憶領域２０２、ファイル種類記憶領域２０３（図４参照）へ、それぞれ記憶する（Ｓ１０４）。
【００９１】
そして、選択した画像ファイルが動画像ファイルであるか静止画像ファイルであるかを判断する（Ｓ１０５）。動画像ファイルであると判断した場合（Ｓ１０５：動画像）、その動画像ファイルのファイル日付情報、ファイル時間情報、およびｆｐｓを表すｆｐｓ情報を、その動画像ファイルのヘッダから取得する（Ｓ１０６）。
【００９２】
そして、処理画像数カウンタ値の配置順序に対応したファイル日付情報記憶領域２０７へファイル日付情報を記憶し、ファイル時間情報記憶領域２０８へファイル時間情報を記憶し、ｆｐｓ情報記憶領域２０６へｆｐｓ情報を記憶する（Ｓ１０７）。
【００９３】
次に処理画像数カウンタ値の配置順序に対応した配置情報記憶領域１３ｉ（図５参照）のファイルＩＤ記憶領域３０２へ、現時点における処理ファイル数カウンタの値を記憶する。また、現時点におけるフレーム画像抽出枚数カウンタの値から抽出フレーム番号を算出し、処理画像数カウンタ値の配置順序に対応した抽出フレーム番号記憶領域３０４へ記憶する（Ｓ１０８）。
【００９４】
次に、フレーム画像情報の時間情報を算出し、算出した時間情報を、画像時間情報として、配置順序に対応する画像時間情報記憶領域３０６へ記憶する（Ｓ１０９）。具体的には、まず、動画像ファイルの撮影開始時間を表すファイル時間情報をＶｉｄｅｏＴｉｍｅ、ｆｐｓ情報をＦＰＳ、フレーム画像情報の撮影時間を表す画像時間情報をＦｒａｍｅＴｉｍｅ、処理対象のフレーム画像情報を特定する抽出フレーム番号をＮとする。
【００９５】
そして、ファイル時間情報ＶｉｄｅｏＴｉｍｅを、以下のように、動画像時間情報ＶＴ＿Ｈｏｕｒ、動画像分情報ＶＴ＿Ｍｉｎｕｔｅ、動画像秒情報ＶＴ＿Ｓｅｃｏｎｄに分解する。
【００９６】
ＶＴ＿Ｈｏｕｒ＝［ＶｉｄｅｏＴｉｍｅ／１００００］
ＶＴ＿Ｍｉｎｕｔｅ＝［（ＶｉｄｅｏＴｉｍｅ−ＶＴ＿Ｈｏｕｒ×１００００）／１００］
ＶＴ＿Ｓｅｃｏｎｄ＝ＶｉｄｅｏＴｉｍｅ−（ＶＴ＿Ｈｏｕｒ×１００００＋ＶＴ＿Ｍｉｎｕｔｅ×１００）
次に、フレーム時情報Ｆｒａｍｅ＿Ｈｏｕｒ、フレーム分情報Ｆｒａｍｅ＿Ｍｉｎｕｔｅ、フレーム秒情報Ｆｒａｍｅ＿Ｓｅｃｏｎｄを、例えば、下記の数式１のように算出する。
（数式１）
ここでＣａｌ＿Ｓｅｃｏｎｄ，Ｃａｌ＿Ｍｉｎｕｔｅ，Ｃａｌ＿Ｈｏｕｒは上記情報を求めるための一時変数とする。
また、Ａ  ｍｏｄ  ＢはＡをＢで割った時の剰余を表す
Ｃａｌ＿Ｓｅｃｏｎｄ＝ＶＴ＿Ｓｅｃｏｎｄ＋［Ｎ／ＦＰＳ］
Ｃａｌ＿Ｍｉｎｕｔｅ＝ＶＴ＿Ｍｉｎｕｔｅ＋［Ｃａｌ＿Ｓｅｃｏｎｄ／６０］
Ｃａｌ＿Ｈｏｕｒ＝ＶＴ＿Ｈｏｕｒ＋［Ｃａｌ＿Ｍｉｎｕｔｅ／６０］
Ｆｒａｍｅ＿ｓｅｃｏｎｄ＝Ｃａｌ＿Ｓｅｃｏｎｄ  ｍｏｄ  ６０
Ｆｒａｍｅ＿Ｍｉｎｕｔｅ＝Ｃａｌ＿Ｍｉｎｕｔｅ  ｍｏｄ  ６０
Ｆｒａｍｅ＿Ｈｏｕｒ＝Ｃａｌ＿Ｈｏｕｒ  ｍｏｄ  ２４
以上を、例えば、下記の数式２を用いて結合し、フレーム画像情報の撮影時間を表す画像時間情報ＦｒａｍｅＴｉｍｅを算出する。
（数式２）
ＦｒａｍｅＴｉｍｅ＝Ｆｒａｍｅ＿Ｈｏｕｒ×１００００＋Ｆｒａｍｅ＿Ｍｉｎｕｔｅ×１００＋Ｆｒａｍｅ＿Ｓｅｃｏｎｄ
同様にして、動画像ファイルのファイル日付情報をＶｉｄｅｏＤａｔｅ、抽出するフレーム画像情報の画像日付情報をＦｒａｍｅＤａｔｅとすると、まずＶｉｄｅｏＤａｔｅを動画像年情報ＶＤ＿Ｙｅａｒ、動画像月情報ＶＤ＿Ｍｏｎｔｈ、動画像日情報ＶＤ＿Ｄａｙに、例えば、下記の数式３を用いて分解する。
（数式３）
ＶＤ＿Ｙｅａｒ＝［ＶｉｄｅｏＤａｔｅ／１００００］
ＶＤ＿Ｍｏｎｔｈ＝［（ＶｉｄｅｏＤａｔｅ−ＶＤ＿Ｙｅａｒ×１００００）／１００  ］  
ＶＤ＿Ｄａｙ＝ＶｉｄｅｏＤａｔｅ−（ＶＤ＿Ｙｅａｒ×１００００＋ＶＤ＿Ｍｏｎｔｈ×１００）
次に、画像日付算出処理を実行する（Ｓ１１０）。画像日付算出処理は、フレーム年情報Ｆｒａｍｅ＿Ｙｅａｒ、フレーム月情報Ｆｒａｍｅ＿Ｍｏｎｔｈ、フレーム日情報Ｆｒａｍｅ＿Ｄａｙを算出する処理である。
【００９７】
図８は、画像日付算出処理（Ｓ１１０）を示すフローチャートである。なお、図８のフローチャートに示す変数Ｍは、現日付からＭ日進めることを意味する変数である。
【００９８】
まず、フレーム年情報Ｆｒａｍｅ＿Ｙｅａｒ、フレーム月情報Ｆｒａｍｅ＿Ｍｏｎｔｈ、フレーム日情報Ｆｒａｍｅ＿Ｄａｙに、それぞれ、動画像年情報ＶＤ＿Ｙｅａｒ、動画像月情報ＶＤ＿Ｍｏｎｔｈ、動画像日情報ＶＤ＿Ｄａｙを代入する（Ｓ１２０１）。次に、変数Ｍに、［Ｃａｌ＿Ｈｏｕｒ／２４］を代入する（Ｓ１２０２）。次にＭが０であるかを判断し（Ｓ１２０３）、肯定されると（Ｓ１２０３：Ｙｅｓ）、本処理を終了する。
【００９９】
一方、否定されると（Ｓ１２０３：Ｎｏ）、フレーム日情報Ｆｒａｍｅ＿Ｄａｙを判断する（Ｓ１２０４）。「１以上２７以下」と判断されると（Ｓ１２０４：１以上２７以下）、Ｆｒａｍｅ＿Ｄａｙに「１」を加算する（Ｓ１２０５）。
【０１００】
一方、Ｓ１２０４の判断において、「２８または２９」と判断されると（Ｓ１２０４：２８ｏｒ２９）、Ｆｒａｍｅ＿Ｍｏｎｔｈが「２」であるか否かを判断する（Ｓ１２０６）。否定される場合（Ｓ１２０６；Ｎｏ）、Ｓ１２０５の処理に移行する。
【０１０１】
一方、肯定されると（Ｓ１２０６：Ｙｅｓ）、次に、Ｆｒａｍｅ＿Ｄａｙが「２８」であるかを判断する（Ｓ１２０８）。否定される場合（Ｓ１２０８：Ｎｏ）、Ｆｒａｍｅ＿Ｄａｙに「１」を代入し、Ｆｒａｍｅ＿Ｍｏｎｔｈに「１」を加算する（Ｓ１２１０）。
【０１０２】
一方、Ｓ１２０８の判断が肯定されると（Ｓ１２０８：Ｙｅｓ）、Ｆｒａｍｅ＿Ｙｅａｒで示される年がうるう年か否かを判断する（Ｓ１２０９）。肯定される場合（Ｓ１２０９：Ｙｅｓ）、Ｓ１２０５の処理に進む。否定される場合（Ｓ１２０９：Ｎｏ）、Ｓ１２１０の処理に進む。
【０１０３】
次に、Ｓ１２０４の判断において、「３０」と判断されると（Ｓ１２０４：３０）、次に、Ｆｒａｍｅ＿Ｍｏｎｔｈが４，６，９，１１のいずれかであるかを判断する（Ｓ１２１１）。肯定される場合（Ｓ１２１１：Ｙｅｓ）、Ｓ１２１０の処理に進む。
【０１０４】
一方、否定される場合（Ｓ１２１１：Ｎｏ）、Ｆｒａｍｅ＿Ｄａｙに「１」を加算する（Ｓ１２１６）。次に、Ｓ１２０４の判断において、「３１」と判断されると（Ｓ１２０４：３１）、次に、Ｆｒａｍｅ＿Ｙｅａｒが１２であるかを判断する（Ｓ１２１５）。否定される場合（Ｓ１２１５：Ｎｏ）、Ｓ１２１６の処理に進む。
【０１０５】
一方、肯定される場合（Ｓ１２１５：Ｙｅｓ）、Ｆｒａｍｅ＿Ｄａｙに「１」を代入し、Ｆｒａｍｅ＿Ｍｏｎｔｈに「１」を代入し、Ｆｒａｍｅ＿Ｙｅａｒに「１」を加算する（Ｓ１２１７）。
【０１０６】
Ｓ１２０５，Ｓ１２１０，Ｓ１２１６，Ｓ１２１７の処理の後は、変数Ｍから「１」減算し（Ｓ１２１２）、Ｓ１２０３に戻る。そして、Ｓ１２０３の判断が肯定されると（Ｓ１２０３：Ｙｅｓ）、本処理を終了する。
【０１０７】
図７に戻り説明する。図８に示す処理で算出した値を、例えば下記の数式５を用いて結合し、フレーム画像情報の撮影日付を表す画像日付情報ＦｒａｍｅＤａｔｅを算出する。算出された画像日付情報は画像日付情報記憶領域３０５へ記憶する（Ｓ１１１）。
（数式５）
ＦｒａｍｅＤａｔｅ＝Ｆｒａｍｅ＿Ｙｅａｒ×１００００＋Ｆｒａｍｅ＿Ｍｏｎｔｈ×１００＋Ｆｒａｍｅ＿Ｄａｙ
次に、処理画像数カウンタ、およびフレーム画像抽出枚数カウンタに、それぞれ「１」を加算する（Ｓ１１３）。
【０１０８】
次に、フレーム画像抽出枚数カウンタの値が、フレーム画像抽出枚数、すなわち、その動画像ファイルから抽出するフレーム画像情報の数以上となったか否かを判断する（Ｓ１１４）。Ｓ１１４の判断が否定される場合（Ｓ１１４：Ｎｏ）、Ｓ１０８に戻り処理を繰り返す。
【０１０９】
一方、Ｓ１１４の判断が肯定される場合（Ｓ１１４：Ｙｅｓ）、次にフレーム画像抽出枚数カウンタを０で初期化し（Ｓ１１５）、処理ファイル数カウンタに１を加算する（Ｓ１２２）。そして、処理ファイル数カウンタの値が、メディアカードに格納される静止画像ファイルと動画像ファイルの合計を示す「総処理ファイル数」以上となったか否かを判断する（Ｓ１２３）。Ｓ１２３の判断が否定される場合（Ｓ１２３：Ｎｏ）、Ｓ１０４の処理に戻り、次の画像ファイルを処理対象として選択し、処理を繰り返す。
【０１１０】
続いて、処理対象の画像ファイルが静止画像ファイルであると判断された場合（Ｓ１０５：静止画像）について説明する。静止画像ファイルである場合、処理画像数カウンタ値の配置順序に対応したファイルＩＤ記憶領域３０２へ、現時点における処理ファイル数カウンタの値を記憶する。また、処理画像数カウンタ値の配置順序に対応した抽出フレーム番号記憶領域３０４へ「０」を記憶する（Ｓ１１５ａ）。
【０１１１】
次に、処理対象の静止画像ファイルのファイル日付情報およびファイル時間情報を取得する。そして、ファイル情報記憶領域１３ｈのうち、処理ファイル数カウンタ値のファイルＩＤに対応したファイル日付情報記憶領域２０７（図４参照）へ、ファイル日付情報を記憶し、同ファイルＩＤに対応したファイル時間情報記憶領域２０８へ、ファイル時間情報を記憶する（Ｓ１１７）。なお、ｆｐｓ情報記憶領域２０６には「０」を記憶する。
【０１１２】
そして、配置情報記憶領域１３ｉ（図５参照）のうち、処理画像数カウンタ値の配置順序に対応する画像日付情報記憶領域３０５へ、処理対象の静止画像ファイルのファイル日付情報を記憶する。また、同配置順序に対応する画像時間情報記憶領域３０６へ、処理対象の静止画像ファイルのファイル時間情報を記憶する（Ｓ１１９）。そして、処理画像数カウンタに１を加算し（Ｓ１２１）、Ｓ１２３の処理に移行する。
【０１１３】
このように、Ｓ１０１からＳ１２３の処理によれば、配置情報記憶領域１３ｉに、ファイルＩＤ、抽出フレーム番号、画像日付情報、画像時間情報が格納されることとなるが、この時点では、まだインデックス画像の配置順序は未決定である。図９を参照して後述するＳ１２４以降の処理において、画像日付情報と画像時間情報とを条件として、配置情報をソートすることにより、撮影日時に従った配置順序が決定される。
【０１１４】
図９は、図７に示す配置順決定処理（Ｓ１００）の続きの部分を示すフローチャートであり、特に、画像日付情報に基づいて、画像一覧２０に配置するインデックス画像を分類する処理、および配置情報記憶領域１３ｉに記憶された配置情報（図５参照）を、撮影日時に従った配置順序にソートする処理の部分を示している。
【０１１５】
図９に示すように、まず、現時点における処理画像数カウンタの値を「処理画像総数」として、処理画像総数記憶領域１３ｃ（図２参照）に記憶する（Ｓ１２４）。そして、処理画像数カウンタを「０」で初期化する（Ｓ１２５）。ここで処理画像数カウンタはカウンタ記憶領域１３ｍ（図２参照）に設けられるカウンタである。
【０１１６】
次に、配置情報記憶領域１３ｉ（図５参照）の画像日付情報記憶領域３０５に記憶された、画像日付情報に従って、グループＮｏを決定する（Ｓ１２６）。具体的には、処理画像数カウンタの値の配置順序に対応する、画像日付情報記憶領域３０５の値が、既に存在するグループの値と同一の場合は、その該当するグループＮｏを、この画像情報のグループＮｏに決定し、そうでない場合は新規のグループＮｏをこの画像情報のグループＮｏとして決定する。ただしＮｏの初期値は１であり、新規のグループＮｏはそれまでで最大のグループＮｏ＋１とする。
【０１１７】
このようにすれば、撮影日が同日であるフレーム画像情報または静止画像ファイルに対応するインデックス画像を同一グループに分類される一方で、撮影日が異なるフレーム画像情報または静止画像ファイルに対応するインデックス画像は互いに別グループに分類されることとなる。
【０１１８】
そして、処理画像数カウンタの値の配置順序に対応する、グループＮｏ記憶領域３０３（図５参照）へ、決定したグループＮｏを記憶する（Ｓ１２７）。次に、処理画像数カウンタに「１」を加算し（Ｓ１２８）、処理画像数カウンタの値が、処理画像総数に記憶された値以上となったかを判断する（Ｓ１２９）。そして、Ｓ１２９の判断が否定される場合（Ｓ１２９：Ｎｏ）、Ｓ１２６から処理を繰り返す。
【０１１９】
一方、Ｓ１２９の判断が肯定される場合（Ｓ１２９：Ｙｅｓ）、グループＮｏの最大値を、グループ数記憶領域４０１（図６参照）に記憶する（Ｓ１３０）。そして、グループＮｏの小さい順に、配置情報をソートする（Ｓ１３１）。なお、Ｓ１３１の処理においては、グループＮｏの小さい順に配置情報をソートすることができれば良いので、ソートアルゴリズムは特に限定するものではなく、例えば、クイックソート法やバブルソート法を用いることが可能である。
【０１２０】
なお、図５に示す配置情報記憶領域１３ｉは、配置情報記憶領域１３ｉに記憶された配置情報が、グループＮｏの小さい順にソートされた状態を模式的に図示している。
【０１２１】
図９に戻り説明する。次に、同一グループＮｏに含まれることとなるインデックス画像数を算出し（Ｓ１３２）、グループＮｏと対応付けてグループ画像数記憶領域４０４へ記憶する（Ｓ１３３）。次に、グループカウンタを１で初期化する（Ｓ１３４）。このグループカウンタは、カウンタ記憶領域１３ｍ（図２参照）に設けられるカウンタである。
【０１２２】
次に、画像時間情報の小さい順に配置情報をソートする（Ｓ１３５）。このソートはグループ単位で行う。これにより、配置情報で特定されるインデックス画像の各々について、対応する配置順序が決定する。
【０１２３】
すなわち、同一グループに分類されたインデックス画像内で、画像時間情報（撮影時情報）に従った配置順序を決定する。後述する配置印刷処理（Ｓ２００）では、グループ毎に画像一覧２０が印刷出力されるが、同一グループ内のインデックス画像は、画像時間情報が小さい順に配列されているから、１グループ内に多数のインデックス画像が含まれる場合であっても、ユーザは撮影時間順に整列した閲覧性の良い画像一覧を得ることができる。
【０１２４】
なお、画像時間情報が同一である場合は、元々の配置順序を変更しないことが好ましいので、Ｓ１３５の処理では、バブルソートなど単純なソートアルゴリズムが好適に用いられる。
【０１２５】
次に、グループカウンタに１を加算し（Ｓ１３６）、グループカウンタの値がグループ数記憶領域４０１（図６参照）の値より大となったかを判断する（Ｓ１３７）。Ｓ１３７の判断が否定される場合（Ｓ１３７：Ｎｏ）、Ｓ１３５に戻り処理を繰り返す。一方、全てのグループについての処理を終了し、Ｓ１３７の判断が肯定されると（Ｓ１３７：Ｙｅｓ）、配置順決定処理（Ｓ１００）を終了する。
【０１２６】
図１０は、ＭＦＰ１で実行されるグループ色補正パラメータ設定処理（Ｓ１５０）を示すフローチャートである。図１０に示すグループ色補正パラメータ設定処理（Ｓ１５０）、上述した配置順決定処理（Ｓ１００）の後に実行される処理であり、同じグループに属する同士で色（輝度）に関して、統一感があるインデックス画像を出力するために、各画像を補正するためのグループ色補正パラメータを設定する処理である。
【０１２７】
まず、グループカウンタを０で初期化する（Ｓ１５１）。グループカウンタはグループ数記憶領域４０１に記憶されている総グループ数をカウントするものであり、カウンタ記憶手段１３ｍに記憶されている。次に、グループ画像カウンタを０で初期化する（Ｓ１５２）。グループ画像カウンタは、グループ単位情報記憶領域４０２に記憶されている各グループに含まれる画像の数を計数するものであり、カウンタ記憶手段１３ｍに記憶されている。
【０１２８】
そして、グループカウンタ、グループ画像カウンタに対応した画像を読み出し（Ｓ１５３）、その読み出した画像をデコード処理し（Ｓ１５４）、デコード処理した画像について、その画像の平均輝度値を算出する（Ｓ１５５）。尚、画像がＲＧＢ値で定義されている場合には、ＨＳＶ変換した画像のＶ値の平均値を求めることで、平均輝度値を算出することができる。そして、前記平均輝度値を画像色補正パラメータとして画像色補正パラメータ記憶領域３０７に記憶する（Ｓ１５５ａ）。尚、ＨＳＶは、色相（Ｈ）、彩度(Ｓ）、輝度(Ｖ）を意味する。
【０１２９】
そして、グループ画像カウンタに１加算し（Ｓ１５６）、グループカウンタに対応するグループに含まれる全ての画像について処理したか判定する（Ｓ１５７）。その結果、まだ全ての画像を処理していない場合には（Ｓ１５７：Ｎｏ）、Ｓ１５３からの処理を繰り返す。
【０１３０】
一方、処理が終了した場合には（Ｓ１５７：Ｙｅｓ）、グループカウンタに対応したグループについてグループ色補正パラメータを設定する（Ｓ１５８）。例えば、Ｓ１５５ａにおいて各画像毎に画像色補正パラメータ記憶領域３０７に記憶された画像色補正パラメータが中央値となる画像をグループ内から選択し、その選択した画像の画像色補正パラメータをグループ色補正パラメータＣｏｌとする。そして、その設定したグループ色補正パラメータＣｏｌをグループカウンタに対応したグループ色補正パラメータ記憶領域４０５に記憶する（Ｓ１５９）。
【０１３１】
こうして、グループ色補正パラメータＣｏｌを設定、記憶すると、グループ画像カウンタを０で初期化し（Ｓ１６０）、グループカウンタに１加算し（Ｓ１６１）、全てのグループについて処理したか判断し（Ｓ１６２）、処理済であれば（Ｓ１６２：Ｙｅｓ）、本処理を終了し、未処理グループがある場合には（Ｓ１６２：Ｎｏ）、Ｓ１５３からの処理を繰り返す。
【０１３２】
このグループ色補正パラメータ設定処理によって、同じグループに属する画像（撮影日が同日の画像）について、同じグループ補正パラメータＣｏｌを設定することができる。尚、このグループ補正パラメータＣｏｌは、後述する配置印刷処理（Ｓ２００）において読み出され、各画像の平均輝度値である画像色補正パラメータが、このグループ補正パラメータＣｏｌになるように色補正する。
【０１３３】
図１１は、配置印刷処理（Ｓ２００）を示すフローチャートである。図１０に示す配置印刷処理（Ｓ２００）は、図７から図９を参照して説明した配置順決定処理（Ｓ１００）に続けて実行される処理であり、画像一覧２０を記録用紙に印刷出力する処理である。
【０１３４】
まず、画像一覧２０に配列される横一列分のインデックス画像の数を示す「横方向の配置枚数」を、横方向画像配置数記憶領域１２ｂから読み出す（Ｓ２０１）。次に、１ページ分の画像一覧２０に配置可能なインデックス画像の数を示す「１ページ内画像配置数」を、１ページ画像配置数記憶領域１２ｃから読み出す（Ｓ２０２）。
【０１３５】
次に、グループカウンタを１で初期化する（Ｓ２０３）。以降の処理では、このグループカウンタは、処理対象のグループのグループＮｏを示すカウンタとして機能する。次に、ページカウンタを１で初期化する（Ｓ２０４）。以降の処理では、このページカウンタは、処理対象のグループのうち、何ページ目の画像一覧２０を処理対象としているのかを示すカウンタとして機能する。ページカウンタはカウンタ記憶領域１３ｍ（図２参照）に設けられるカウンタである。
【０１３６】
次に、グループカウンタ値のグループＮｏに対応するグループ画像数を、グループ画像数記憶領域４０４から読み出す（Ｓ２０５）。すなわち、そのグループＮｏのグループに分類されたインデックス画像の数を取得する。そして、読み出した「グループ画像数」と「１ページ内画像配置数」とから、処理対象のグループについて、何ページ分の画像一覧２０を印刷出力するかを示す「生成ページ数」を算出し、生成ページ数記憶領域１３ｄ（図２参照）へ記憶する（Ｓ２０６）。本実施形態では、「生成ページ数」は、例えば下記の数式６を用いて算出する。
（数式６）
（生成ページ数）＝［（グループ画像数）／（１ページ内画像配置数）］＋１
次に、レイアウト画像カウンタを０で初期化し（Ｓ２０７）、１ページの記録用紙内に配置する画像の枚数ｌａｙｏｕｔ＿ｎｏを算出する（Ｓ２０８）。本実施形態においては、ｌａｙｏｕｔ＿ｎｏは、例えば下記の数式７を用いて算出する。
（数式７）
（ページカウンタ値）＜生成ページ数  の時
ｌａｙｏｕｔ＿ｎｏ＝（１ページ内画像配置数）
（ページカウンタ値）≧生成ページ数  の時
ｌａｙｏｕｔ＿ｎｏ＝（グループ画像数）−｛（１ページ内画像配置数）×（ページカウンタ値）｝
次に、配置順序に対応したファイルＩＤ、抽出フレーム番号、画像色補正パラメータＣｏｌを配置情報記憶領域１３ｉから読み出す（Ｓ２０９）。そして、読み出したファイルＩＤに対応する画像ファイルが、動画像ファイルであるか静止画像ファイルであるかを判定する（Ｓ２１０）。
【０１３７】
Ｓ２１０の判定において、動画像ファイルと判定される場合（Ｓ２１０：動画像）、次に、動画像ファイルから上記抽出フレーム番号で特定される１フレーム画像分のフレーム画像情報を抽出する（Ｓ２１１）。
【０１３８】
次に、抽出したフレーム画像情報をデコード処理し、デコードデータ記憶領域１３ｋへ格納する（Ｓ２１２）。そして、グループカウンタ値のグループＮｏに対応するグループ色補正パラメータＣｏｌをグループ色補正パラメータ記憶領域４０５から読み出し、そのグループ色補正パラメータＣｏｌを用いて、フレーム画像情報を色補正する（Ｓ２１２ａ）。具体的には、補正対象画像Ｏの画像色補正パラメータ記憶領域３０７から読み出した画像の平均輝度値である画像色補正パラメータがグループ色補正パラメータＣｏｌになるように色補正する。補正対象画像Ｏの画像色補正パラメータをｏＶとし、補正対象画像のＨＳＶ空間における各画素値をＯ（ｘ，ｙ）Ｈ，Ｏ（ｘ，ｙ）Ｓ，Ｏ（ｘ，ｙ）Ｖとすれば、補正対象画像Ｏの色補正後のピクセルは下記の式で求められる。但し、（ｘ，ｙ）は画像の座標値とする。
【０１３９】
【数１】
2009246900.tif 000003
そして、上述したように色補正したフレーム画像情報をＲＡＭ１３（図２参照）に設けられた配置用バッファの所定位置に配置する（Ｓ２１３）。
このようにすれば、補正後の画像の平均輝度値はグループ色補正パラメータＣｏｌに等しくすることができる。
【０１４０】
一方、Ｓ２１０の判定において、静止画像ファイルと判定される場合（Ｓ２１０：静止画像）、配置順序に対応したファイルＩＤで特定される静止画像ファイルをデコード処理して、デコードデータ記憶領域１３ｋへ格納する（Ｓ２１４）。そして、上述したＳ２１２ａで説明したのと同様に、グループ色補正パラメータＣｏｌを用いて、静止画像ファイルを色補正する（Ｓ２１４ａ）。そして、上述したように補正した静止画像ファイルをＲＡＭ１３（図２参照）に設けられた配置用バッファの所定位置に配置する（Ｓ２１５）。
【０１４１】
このように、色補正されたフレーム画像情報または色補正された静止画像ファイルのいずれかを配置用バッファに配置する処理を実行した後、次に、横方向に配置できる画像数の上限である「横方向の配置枚数」回分、処理を行ったか否かを判断する（Ｓ２１６）。Ｓ２１６の判断が否定される場合（Ｓ２１６：Ｎｏ）、次のデータの配置位置を示す横方向位置を更新する（Ｓ２２０）。
【０１４２】
そして、レイアウト画像カウンタに「１」を加算し（Ｓ２２１）、レイアウト画像カウンタの値が、現在の処理対象の記録用紙に配置するインデックス画像の数「ｌａｙｏｕｔ＿ｎｏ」以上となったか否かを判断する（Ｓ２２２）。Ｓ２２２の判断が否定される場合（Ｓ２２２：Ｎｏ）、Ｓ２０９の処理に戻り、次の配置順序に対応した配置情報を処理する。
【０１４３】
このようにして、処理を繰り返すことにより、メディアカードに格納される動画像ファイルの各々から、抽出フレーム数（特許請求の範囲に記載の所定枚数に相当）のフレーム画像に相当するフレーム画像情報が抽出され、配置バッファに配置される。また、メディアカードに格納される静止画像ファイルが抽出され、配置バッファに配置される。
【０１４４】
このようにして処理を繰り返す内に、「横方向の配置枚数」回分の配置処理が実行されると、Ｓ２１６の判断が肯定されるので（Ｓ２１６：Ｙｅｓ）、次に、配置用バッファのデータをプリンタ３（図２参照）へ渡す（Ｓ２１７）。これにより、配置用バッファに配置された、横一列分のインデックス画像に対応したデータが、プリンタ３による印刷処理にかけられ、画像一覧２０を出力することができる。
【０１４５】
そして、次の処理対象のインデックス画像の横方向配置位置を示す横方向位置を初期化し（Ｓ２１８）、また、縦方向配置位置を示す縦方向位置を更新する（Ｓ２１９）。すなわち、画像一覧２０における次の列の左端から、次のインデックス画像が配列されるように、次の配置位置が決定される。そして、上述したＳ２２１、Ｓ２２２の処理を実行する。
【０１４６】
このようにして処理をしたインデックス画像の数が、処理対象の記録用紙に配置するインデックス画像数ｌａｙｏｕｔ＿ｎｏに到達すると、Ｓ２２２の判断が肯定されるので（Ｓ２２２：Ｙｅｓ）、図１１に示す次の処理に移行する。
【０１４７】
図１１は、図１０に示す配置印刷処理（Ｓ２００）の続きを示すフローチャートであって、Ｓ２２２の判断が肯定される場合に実行される。
【０１４８】
まず、配置用バッファに、未だ印刷処理を行っていないデータが存在するかを判断する（Ｓ２２３）。Ｓ２２３の判断が肯定される場合（Ｓ２２３：Ｙｅｓ）、その残りのデータをプリンタ３に渡し（Ｓ２２４）、プリンタ３にて印刷出力させ、Ｓ２２５の処理に移行する。ただし配置用バッファに画像が配置されない領域については白地出力とする。一方、Ｓ２２３の判断が否定される場合（Ｓ２２３：Ｎｏ）、Ｓ２２４の判断をスキップし、Ｓ２２５の処理に移行する。
【０１４９】
そして、１ページ分のデータ出力が完了したことを示す印刷完了命令をプリンタ３に渡す（Ｓ２２５）。このとき、データ出力が１ページ分より少ない場合は、改ページも併せて行うことで、異なる色補正が行われたグループが同一用紙に記録されることがなくなる。また、グループ毎に複数の配置バッファを有するならば、該当グループと次のグループのグループ色補正パラメータを比較し、所定の差であるならば、同じ特徴量であると判断し、グループをまたがる印刷において改ページを行わないようにすれば同じ特徴量のグループは連続して印刷することができる。
【０１５０】
そして、ページカウンタに「１」を加算する（Ｓ２２６）。次に、配置用バッファにおける次のデータの配置位置を示す横方向位置および縦方向位置を初期化する（Ｓ２２７）。そして、ページカウンタの値が、現在の処理対象のグループについて、何ページ分の画像一覧２０を印刷出力するかを示す「生成ページ数」より大となったかを判断する（Ｓ２２８）。Ｓ２２８の判断が否定される場合（Ｓ２２８：Ｎｏ）、図１０に示すＳ２０７の処理に戻り、同グループについて、次ページの処理を開始する。
【０１５１】
一方、Ｓ２２８の判断が肯定される場合（Ｓ２２８：Ｙｅｓ）、グループカウンタに１を加算する（Ｓ２２９）。そして、グループカウンタの値が、グループ数記憶領域４０１に記憶された値より大となったか否かを判断する（Ｓ２３０）。Ｓ２３０の判断が否定される場合（Ｓ２３０：Ｎｏ）、Ｓ２０４に戻り、処理を繰り返す。すなわち、次のグループＮｏで特定されるグループを処理対象として処理を繰り返す。
【０１５２】
一方、Ｓ２２８の判断が肯定される場合（Ｓ２２８：Ｙｅｓ）、配置印刷処理（Ｓ２００）を終了する。
【０１５３】
このように、このＭＦＰ１によれば、図３（ａ）を参照して説明したように、各インデックス画像２１ａ，２１ｂ，２１ｃ，２２は、各画像の色（輝度）に関し、統一性が出るように色補正されてから印刷出力されるので、画像一覧２０に含まれる各インデックス画像２１ａ，２１ｂ，２１ｃ，２２が有する色が視覚的に統一されている画像一覧２０を印刷出力させることができる。
【０１５４】
また、本実施形態では、各グループを撮影日でグループ分し、その同じグループ内の画像について色（輝度）が統一するように色補正する。よって、例えば、雨の日と、晴天の日とでは、光源の強さが異なり、両日で撮影した写真の色は異なる可能性が高い。よって、この場合にも、色補正して画像の色（輝度）を統一させることもできるが、元画像の色が極端に変化する可能性がある。一方、日にち単位（撮影日単位）でグループ化することで、元画像の色から極端に色が変化するのを防止することができる。また、ファイル時間情報（すなわち、静止画像ファイルまたはフレーム画像情報の撮影時間）に従った配置順序でインデックス画像が配列された画像一覧２０を出力することができる。
【０１５５】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１５６】
例えば、本実施形態では、画像一覧２０を記録用紙に印刷出力するものとして説明したが、ＬＣＤ５など表示装置に画像一覧２０を表示出力する場合にも、本発明を適用できる。
【０１５７】
また、本発明を、例えば、パーソナルコンピュータに適用し、ＰＣのモニターに、画像一覧２０を表示出力する場合、あるいは、パーソナルコンピュータからプリンタを制御して画像一覧を印刷出力する場合にも、本発明を適用できる。
【０１５８】
また、上記実施形態では、全グループについて画像一覧２０が出力されるものとして説明したが、例えば、ユーザにより選択されたグループについてのみ画像一覧２０を出力するように構成しても良い。
【０１５９】
また、上述した実施形態では、動画像ファイルおよび静止画像ファイルは、共に撮影により生成された画像ファイルであるものとして説明したが、動画像ファイルおよび静止画像ファイルは、撮影以外の方法で生成されるものであっても、本発明を適用可能である。その場合は、撮影日時に代えて、ファイルの作成日時を表すファイルの生成日時情報や、ファイルの更新日時情報など、他の条件を元に、インデックス画像の配置順序を決定するように構成されても良い。
【０１６０】
また、上述した実施形態では、メディアカード内に、静止画像ファイルと動画像ファイルとが混在している場合について説明したが、メディアカード内に動画像ファイルのみが格納されている場合にも本発明は適用可能である。
【０１６１】
また、上述した実施形態では、着脱可能なメディアカード内に記憶されている画像情報を処理対象としていたが、ＭＦＰ１の内部メモリに格納された画像情報を処理対象とする場合にも、本発明は適用可能である。
【０１６２】
また、上述した実施形態では、撮影日毎にグループ分けされている画像毎に同じグループ色補正パラメータＣｏｌを設定する場合について説明したが、各ページ単位で同じグループ色補正パラメータＣｏｌを設定するように構成しても良い。また、撮影日という日にち単位に限られるものでもなく、例えば、メーカ毎、画像種類毎、所定時間単位、午前午後の単位、週単位、月単位でグループ分けし、その同一グループに含まれる各画像に、同じグループ色補正パラメータＣｏｌを設定するように構成しても良い。
【０１６３】
また、上述した実施形態では、輝度に関して色補正する場合について説明したが、輝度に代えて、彩度、色相について、又は、これらの組み合わせについて色補正するように構成しても良い。
【０１６４】
例えば、ＨＳＶ変換した各画像のＳ値の平均である平均彩度値を画像色補正パラメータとし、グループ色補正パラメータＣｏｌを、同一グループに含まれる画像の画像色補正パラメータの平均値が中央値となる画像色補正パラメータとする。この場合、補正対象画像Ｏの平均彩度値である画像色補正パラメータがグループ色補正パラメータＣｏｌになるように補正する。画像色補正パラメータ記憶領域３０７から読み出された、補正対象画像Ｏの画像色補正パラメータをｏＳとし、補正対象画像ＯのＨＳＶ空間における各画素値をＯ（ｘ，ｙ）Ｈ，Ｏ（ｘ，ｙ）Ｓ，Ｏ（ｘ，ｙ）Ｖとした時、色補正後のピクセルは下記の式で求められる。但し、（ｘ，ｙ）は画像の座標値とする。
【０１６５】
【数２】
2009246900.tif 000004
このようにすれば、補正後の画像の平均彩度値はグループ色補正パラメータＣｏｌに等しくすることができる。
また、画像色補正パラメータを画像中の輝度値が所定値以上の画素のＲＧＢ値の平均値とし、グループ色補正パラメータＣｏｌを、同一グループに含まれる画像中の画像色補正パラメータの平均値（それぞれＣｏｌＲ，ＣｏｌＧ，ＣｏｌＢ）が中央値となる画像の画像色補正パラメータとすることもできる。この場合、画像色補正パラメータ記憶領域３０７から読み出された、補正対象画像Ｏの輝度値が所定値以上の画素のＲＧＢの平均値である画像色補正パラメータがグループ色補正パラメータＣｏｌになるように補正する。画像色補正パラメータをｏＲ，ｏＧ，ｏＢとし、補正対象画像ＯのＲＧＢ空間における各画素値をＯ（ｘ，ｙ）Ｒ，Ｏ（ｘ，ｙ）Ｇ，Ｏ（ｘ，ｙ）Ｂとした時、色補正後のピクセルは下記の式で求められる。但し、（ｘ，ｙ）は画像の座標値とする。また、ＣｏｌＲ，ＣｏｌＧ，ＣｏｌＢの最大値をＣｏｌＶとする。また、Ｏ（ｘ，ｙ）Ｒ，Ｏ（ｘ，ｙ）Ｇ，Ｏ（ｘ，ｙ）Ｂの最大値をＯ（ｘ，ｙ）Ｖとする。
【０１６６】
【数３】
2009246900.tif 000005
このようにすれば、補正後の画像の輝度値が所定値以上の画素のＲＧＢ値の平均値をグループ色補正パラメータＣｏｌに等しくすることができ、具体的には画像のカラーバランスをＣｏｌに等しくすることができる。
【０１６７】
また、上述した実施形態では、各グループに含まれる各画像の平均輝度値が中央値となる画像の平均輝度値を、グループ色補正パラメータとする場合について説明したが、これに代えて、処理対象のグループに含まれる静止画像のそれぞれの平均輝度値を算出して画像色補正パラメータとし、さらにその画像色補正パラメータの平均値に最も近い画像に対応する画像色補正パラメータをグループ色補正パラメータＣｏｌとするように構成しても良い。また、各静止画像の画像色補正パラメータの平均値をグループ色補正パラメータＣｏｌとするように構成しても良い。
【図面の簡単な説明】
【０１６８】
【図１】本発明の画像処理装置の実施形態であるＭＦＰの外観構成を示した斜視図である。
【図２】ＭＦＰの電気的構成を示すブロック図である。
【図３】ＭＦＰが印刷出力する画像一覧の一例を示す図である。
【図４】ファイル情報記憶領域の構成を模式的に示す図である。
【図５】配置情報記憶領域の構成を模式的に示す図である。
【図６】グループ情報記憶領域の構成の一例を示す図である。
【図７】配置順決定処理を示すフローチャートである。
【図８】画像日付算出処理を示すフローチャートである。
【図９】図７に示す配置順決定処理の続きの部分を示すフローチャートである。
【図１０】グループ色補正パラメータ設定処理を示すフローチャートである。
【図１１】配置印刷処理を示すフローチャートである。
【図１２】図１０に示す配置印刷処理の続きを示すフローチャートである。
【符号の説明】
【０１６９】
１                        ＭＦＰ（画像処理装置の一例）
３                        プリンタ（記録手段の一部）
６                        スロット部（取得手段の一部）
２０                      画像一覧
２１ａ，２１ｂ，２１ｃ    インデックス画像（フレーム画像の一例）
２２                      インデックス画像（静止画像の一例）
Ｓ１０７，Ｓ１１７        時間情報入手手段の一部
Ｓ１２６                  分類手段の一例
Ｓ１５５                  算出手段の一例
Ｓ１５８                  選択手段の一例
Ｓ２１１                  抽出手段の一例
Ｓ２２５                  出力制御手段の一例
Ｓ２１２ａ，Ｓ２１４ａ    補正手段の一例
【図１】
2009246900.tif 000006
【図２】
2009246900.tif 000007
【図３】
2009246900.tif 000008
【図４】
2009246900.tif 000009
【図５】
2009246900.tif 000010
【図６】
2009246900.tif 000011
【図７】
2009246900.tif 000012
【図８】
2009246900.tif 000013
【図９】
2009246900.tif 000014
【図１０】
2009246900.tif 000015
【図１１】
2009246900.tif 000016
【図１２】
2009246900.tif 000017